(57)【要約】【課題】  運用コストを低減でき、既存システムからの変更が容易な料金収受システムに用いられる料金収受サーバ装置、入口料金所機器、出口料金所機器及び料金収受データ管理方法を提供する。【解決手段】  実施形態によれば、料金収受サーバ装置は、通信部とデータベースと制御部とを有する。通信部は、入口料金所で利用者が提示する２次元コードから読み取った識別情報と入口料金所での入場を示す入口情報とを入口料金所機器から受信する。データベースは、入口料金所機器から受信する入口情報を識別情報に対応づけて記憶する。制御部は、通信部により出口料金所で利用者が提示する２次元コードから読み取った識別情報と出口料金所での出場を示す出口情報とを出口料金所機器から受信し、出口料金所機器から受信した識別情報の利用者の出場が許可される場合、識別情報に対応づけて出口情報をデータベースに記憶する。【選択図】      図２
2019204397.tif 000002
【特許請求の範囲】
【請求項１】
通行料金を収受する料金収受システムに用いられる料金収受サーバ装置であって、
入口料金所で利用者が提示する２次元コードから読み取った識別情報と前記入口料金所での入場を示す入口情報とを入口料金所機器から受信する通信部と、
前記入口料金所機器から受信する前記入口情報を前記識別情報に対応づけて記憶するデータベースと、
前記通信部により出口料金所で利用者が提示する２次元コードから読み取った識別情報と前記出口料金所での出場を示す出口情報とを出口料金所機器から受信し、前記出口料金所機器から受信した前記識別情報の利用者の出場が許可される場合、前記識別情報に対応づけて前記出口情報を前記データベースに記憶する制御部と、
を有する料金収受サーバ装置。
【請求項２】
前記制御部は、利用者からの事前登録の申請を受け付けると、利用者を識別するための２次元コードを生成し、当該利用者に対して前記２次元コードを配信する事前申請処理機能を更に備える請求項1記載の料金収受サーバ装置。
【請求項３】
前記２次元コードは、利用者を識別する利用者ＩＤと、料金収受が可能な料金所または区間などを示す利用区間情報を含む請求項２記載の料金収受サーバ装置。
【請求項４】
前記制御部は、前記入口料金所機器から受信した前記識別情報と前記データベースが記憶する情報とに基づいて前記入口料金所での入場の可否を判定し、入場を許可すると判定した場合に、前記入口情報を前記データベースに記憶して前記入口料金所機器へ入場許可を示す情報を通知する、
請求項１記載の料金収受サーバ装置。
【請求項５】
前記制御部は、前記出口料金所機器から前記識別情報を受信した場合、前記識別情報に対応して前記データベースが記憶する入口情報を前記出口料金所機器へ送信する、
請求項１記載の料金収受サーバ装置。
【請求項６】
前記制御部は、前記入口料金所機器から受信した前記識別情報の利用者に対して前記入口料金所での入場を許可する場合、前記識別情報と前記入口情報とを示す出口用の２次元コードを生成し、前記出口用の２次元コードを含む情報を前記識別情報の利用者へ配信する、
請求項１記載の料金収受サーバ装置。
【請求項７】
入口料金所に設置される入口料金所機器において、
利用者に配信した２次元コードが示す識別情報に対応づけて入場および出場を管理する料金収受サーバ装置と通信する通信部と、
前記入口料金所において利用者が提示する２次元コードを含む画像を読取り、読取った画像に含まれる２次元コードが示す情報を認識するコード読取部と、
前記コード読取部により認識した前記２次元コードが示す識別情報と前記入口料金所での入場を示す入口情報とを前記料金収受サーバ装置へ送信する制御部と、
を有する入口料金所機器。
【請求項８】
前記制御部は、前記料金収受サーバ装置から前記入口料金所での入場許可を示す情報を受信した場合、前記２次元コードを提示した利用者の入場を許可する、
請求項７記載の入口料金所機器。
【請求項９】
出口料金所に設置される出口料金所機器において、
利用者に配信した２次元コードが示す識別情報に対応づけて入場および出場を管理する料金収受サーバ装置と通信する通信部と、
前記出口料金所において利用者が提示する２次元コードを含む画像を読取り、読取った画像に含まれる２次元コードを認識するコード読取部と、
前記コード読取部が前記２次元コードを認識した結果に含まれる識別情報と前記出口料金所での出場を示す出口情報とを前記料金収受サーバ装置へ送信する制御部と、
を有する出口料金所機器。
【請求項１０】
前記制御部は、前記料金収受サーバ装置から前記２次元コードが示す識別情報に対応する入口情報を受信し、前記料金収受サーバ装置から受信する前記入口情報に基づいて当該出口料金所で出場するための通行料金を算出する、
請求項９記載の出口料金所機器。
【請求項１１】
前記制御部は、前記コード読取部が前記２次元コードを認識した結果に含まれる入口情報に基づいて当該出口料金所で出場するための通行料金を算出する、
請求項９記載の出口料金所機器。
【請求項１２】
通行料金を収受する料金収受システムにおける料金収受データ管理方法であって、
入口料金所で利用者が提示する２次元コードから読み取った識別情報と前記入口料金所での入場を示す入口情報とを入口料金所機器から受信し、
前記入口料金所機器から受信する前記入口情報を前記識別情報に対応づけてデータベースに記憶し、
出口料金所で利用者が提示する２次元コードから読み取った識別情報と前記出口料金所での出場を示す出口情報とを出口料金所機器から受信し、前記出口料金所機器から受信した前記識別情報の利用者の出場が許可される場合、前記識別情報に対応づけて前記出口情報を前記データベースに記憶する、
料金収受データ管理方法。
【請求項１３】
前記料金収受データ管理方法は、利用者からの事前登録の申請を受け付けると利用者を識別するための２次元コードを生成し、当該利用者に対して前記２次元コードを配信する事前申請処理ステップを更に備える請求項１２記載の料金収受データ管理方法。
【請求項１４】
前記２次元コードは、利用者を識別する利用者ＩＤと、料金収受が可能な料金所または区間などを示す利用区間情報を含む請求項１３記載の料金収受データ管理方法。
【請求項１５】
前記出口料金所機器から前記識別情報を受信した場合、前記識別情報に対応して前記データベースが記憶する入口情報を前記出口料金所機器へ送信する、
請求項１２記載の料金収受データ管理方法。
【請求項１６】
前記入口料金所機器から受信した前記識別情報の利用者に対して前記入口料金所での入場を許可する場合、前記識別情報と前記入口情報とを示す出口用の２次元コードを生成し、
前記生成した前記出口用の２次元コードを含む情報を前記識別情報の利用者へ配信する、
請求項１５記載の料金収受データ管理方法。
【発明の詳細な説明】
【技術分野】
【０００１】
本発明の実施形態は、料金収受サーバ装置、入口料金所機器、出口料金所機器及び料金収受データ管理方法に関する。
【背景技術】
【０００２】
近年、有料道路では、車両に搭載された車載器との無線通信により料金を収受するＥＴＣシステムが普及してきている。しかしながら、現状にあっても現金利用者も存在するため、磁気券媒体を用いて発行される通行券（磁気通行券）を用いて現金料金を収受する運用が必要である。磁気通行券を用いた料金収受は、日時及び場所などの入口料金所を通過した際の入場情報を記録した磁気通行券を発行し、出口料金所において入口料金所で発行された磁気通行券の情報を読み取ることによって通行料金の算出を行う運用となっている。
【０００３】
しかしながら、磁気通行券は特殊な媒体であるため、ランニングコストがかかる。また、磁気券以外の低コストの記録媒体へ切り替えるとしても、汎用技術を活用した場合には複製や偽造などのリスクがある。さらに、磁気通行券を用いたシステムを別のシステムに移行させる場合、高速道路などの有料道路においては、以下の課題がある。
（１）高速道路などの道路システムは、全国規模でつながっているため、既存のシステムを別のシステムに置き換えるには、全国的な規模でのシステム変更が必要となる。
（２）全国規模でのシステム変更が実質的に困難であるため、段階的な試行から始めて最終的に全国規模での整備が完了できるようなシステム更新のシナリオが必要である。
（３）従来の料金所における機器の構成を大きく変更するのは難しいため、最小限の変更でシステム更新を実現できることが必要である。
【先行技術文献】
【特許文献】
【０００４】
【特許文献１】特開２００４−３０２７１２号公報
【特許文献２】特開２００７−５８３００号公報
【特許文献３】特開２００５−３０１９１７号公報
【発明の概要】
【発明が解決しようとする課題】
【０００５】
上記のように、従来の磁気通行券を用いて料金を収受するシステムでは、運用にコストがかかってしまうという課題がある。さらに、従来の磁気通行券を用いて通行料金を収受するシステムは、全国的な規模で運用されているため、システムを別のシステムに更新するのが容易ではないという課題もある。  
本発明は、上記課題を解決するものであり、運用コストを低減でき、既存システムからの変更が容易な料金収受システムに用いられる料金収受サーバ装置、入口料金所機器、出口料金所機器及び料金収受データ管理方法を提供することを目的とする。
【課題を解決するための手段】
【０００６】
実施形態によれば、料金収受サーバ装置は、通信部とデータベースと制御部とを有する。通信部は、入口料金所で利用者が提示する２次元コードから読み取った識別情報と入口料金所での入場を示す入口情報とを入口料金所機器から受信する。データベースは、入口料金所機器から受信する入口情報を識別情報に対応づけて記憶する。制御部は、通信部により出口料金所で利用者が提示する２次元コードから読み取った識別情報と出口料金所での出場を示す出口情報とを出口料金所機器から受信し、出口料金所機器から受信した識別情報の利用者の出場が許可される場合、識別情報に対応づけて出口情報をデータベースに記憶する。
【図面の簡単な説明】
【０００７】
【図１】図１は、第１の実施の形態に係る料金収受システムを概略的に説明するための模式図である。
【図２】図２は、第１の実施の形態に係る料金収受システムの全体構成および料金収受サーバ装置の構成例を示すブロック図である。
【図３】図３は、第１の実施の形態に係る入口料金所機器における制御系の構成例を示すブロック図である。
【図４】図４は、第１の実施の形態に係る出口料金所機器における制御系の構成例を示すブロック図である。
【図５】図５は、第１の実施の形態に係る料金収受サーバ装置に設ける管理データベースの構成例を示す図である。
【図６】図６は、第１の実施の形態における入口料金所機器の動作例を説明するためのフローチャートである。
【図７】図７は、第１の実施の形態における料金収受サーバ装置の動作例を説明するためのフローチャートである。
【図８】図８は、第１の実施の形態における出口料金所機器の動作例を説明するためのフローチャートである。
【図９】図９は、第２の実施の形態に係る料金収受システムを概略的に説明するための模式図である。
【図１０】図１０は、第２の実施の形態における料金収受サーバ装置の動作例を説明するためのフローチャートである。
【図１１】図１１は、第２の実施の形態における出口料金所機器の動作例を説明するためのフローチャートである。
【発明を実施するための形態】
【０００８】
以下、実施の形態について、図面を参照しながら説明する。  
（第１の実施の形態）
第１の実施の形態は、事前にメール等で発行された利用者の識別情報（利用者ＩＤ）を示す２次元コードを用いて入口料金所の通過（入場）及び出口料金所の通過（出場）を実現する実施の形態である。第１の実施の形態では、大きく分けて、利用者ＩＤを示す２次元コードを利用者に提供する事前登録処理と入口料金所における利用者ＩＤを用いた入口処理と出口料金所における利用者ＩＤを用いた出口処理とを実施する料金収受システムについて説明する。
【０００９】
図１は、第１の実施の形態に係る料金収受システムを概略的に説明するための模式図である。  
図１に示すように、料金収受システムは、料金収受サーバ装置１と入口料金所機器２と出口料金所機器３とを有する。料金収受システムは、通行する車両から通行料金を収受する有料道路に適用される。料金収受サーバ装置１は、入口料金所機器２および出口料金所機器３と通信することにより有料道路を通行する車両に関する情報を収集する。入口料金所機器２は有料道路の入口料金所に設置される機器であり、出口料金所機器３は有料道路の出口料金所に設置される機器である。さらに、料金収受サーバ装置１は、広域のネットワークに接続する機能を有し、有料道路を利用する利用者が所持する携帯端末Ｐへ電子メールなどで情報を配信する機能を有する。
【００１０】
まず、第１の実施の形態における事前登録処理について説明する。  
事前登録処理は、利用者からの申請に応じて料金収受サーバ装置１が実行する。料金収受サーバ装置１は、利用者がアクセス可能なＷｅｂサイト上において、有料道路で利用可能な利用者ＩＤを示す２次元コードを発行するための利用者情報の事前登録の申請を受け付ける。利用者からの事前登録の申請を受付けると、料金収受サーバ装置１は、当該利用者に対する利用者ＩＤを発行し、発行した利用者ＩＤと当該利用者ＩＤの有効期限とを識別情報として管理データベースに新規に登録する。さらに、料金収受サーバ装置１は、利用者からメールアドレスを含む個人情報などの利用者情報を取得し、取得した情報に基づくメールアドレス及び氏名などを含む契約情報を利用者ＩＤに対応づけて管理データベース１４ａに記憶する。
【００１１】
また、料金収受サーバ装置１は、事前登録処理において、発行した利用者ＩＤを示す２次元コードを生成し、生成した２次元コードを利用者に配信する。利用者ＩＤを示す２次元コードは、スマートフォン又はタブレットＰＣなどの携帯端末Ｐの表示画面に表示して料金所を通過する際に利用することを想定する。
【００１２】
また、料金収受サーバ装置１は、２次元コードを利用者が登録するメールアドレス宛ての電子メールにて配信する。ただし、料金収受サーバ装置１は、２次元コードを電子メール以外の方法で利用者に配信しても良い。また、利用者ＩＤを示す２次元コードは、用紙などの媒体に印刷したものであっても良く、例えば、利用者ＩＤを示す２次元コードを印字したプレートなどの媒体を利用者に提供するようにしても良い。
【００１３】
また、料金収受サーバ装置１は、利用者からの事前登録の申請を受付ける場合、２次元コードを用いて料金収受が可能な料金所または区間などを示す情報を利用者に周知する。例えば、料金収受サーバ装置１は、利用者からの事前登録の申請を受付ける場合に、２次元コードを用いて通行および料金収受が可能な料金所または区間などの情報を提供する。料金収受サーバ装置１は、２次元コードが利用可能な料金所または区間などの情報を利用者が同意したことを確認した後に、当該利用者に対して利用者ＩＤを示す２次元コードを電子メールにて配信する。
【００１４】
これにより、料金収受サーバ装置１は、２次元コードが利用可能な料金所または区間などの利用条件を確実に利用者に報知することができる。また、利用者は、Ｗｅｂサイトにおける事前登録において利用可能な料金所または区間などの利用条件を確認した上で、利用者ＩＤを示す２次元コードを事前登録したメールアドレスへの電子メールで入手できる。
【００１５】
次に、第１の実施形態に係る料金収受システムを構成する各装置における制御系の構成について説明する。  
図２は、第１の実施形態に係る料金収受システムの全体構成と料金収受サーバ装置１の制御系の構成例を示すブロック図である。  
図２に示す料金収受システムが適用される有料道路は、通行料金を算出する起点となる入口料金所と通行料金を収受する出口料金所とが設けられる。料金収受サーバ装置１は、各入口料金所に配置される入口料金所機器２と入口料金所機器２と出口料金所に配置される出口料金所機器３とに通信接続される構成となる。
【００１６】
入口料金所及び出口料金所は、例えば、所定方向（入場方向及び出場方向）に車両が通行するように設計されたレーンが設けられる。レーンは、利用者および操作員（収受員）などの人的な操作によって料金を決済する車両（一般車両と称する）が通行する運用であるものとする。ただし、レーンは、一般車両だけでなく、車両に搭載される車載器との無線通信により料金を決済する車両（ＥＴＣ車両と称する）も通行可能なＥＴＣ及び一般が混在するものであっても良い。
【００１７】
入口料金所には、レーン内の車両に乗車している利用者が操作可能な位置に入口料金所機器２が配置される。また、出口料金所には、レーン内の車両に乗車している利用者の要求に応じて料金収受を行うブースが設けられる。出口料金所のブース内には、出口料金所機器３が配置され、出口料金所機器３を操作する収受員が駐在する。入口料金所機器２および出口料金所機器３は、料金収受サーバ装置１と通信回線を介して接続する。なお、入口料金所及び出口料金所のレーンには、車両検知器、発進制御機、路側表示器、ＥＴＣ用の無線装置、監視カメラ、ナンバープレート読取装置及び車線表示板などの機器を配置しても良い。
【００１８】
また、図１に示すように、料金収受サーバ装置１は、制御部１１、第１通信部１２、第２通信部１３および記憶部１４を有する。  
制御部１１は、料金収受サーバ装置における制御及びデータ処理などを司る制御ユニットである。制御部１１は、ＣＰＵ、メモリおよびインターフェースなどを有する。ＣＰＵは、プログラムを実行することにより各種の処理機能を実現するプロセッサである。ＣＰＵは、インターフェースなどを介して出口料金所機器３を構成する各部に接続される。メモリは、ＣＰＵが実行するプログラムを記憶する不揮発性メモリ、一時的にデータを保持する揮発性メモリ、および、設定データなどを保存する書換え可能な不揮発性メモリなどの各種のメモリを含む。すなわち、制御部１１は、ＣＰＵがメモリに記憶されたプログラムを実行することにより各部を制御およびデータ処理を実行する。
【００１９】
第１通信部１２及び第２通信部１３は、外部通信するための通信インターフェース（通信部）である。第１通信部１２は、各入口料金所に設置される入口料金所機器２および各出口料金所に設置される出口料金所機器３と通信するためのインターフェースである。また、第２通信部１３は、ネットワークを介して利用者の携帯端末Ｐまたは利用者が事前登録処理を行う端末装置と通信するためのインターフェースである。第２通信部１３は、ネットワークおよびメールサーバ等を介して利用者宛のメールを送信する。なお、第１通信部１２及び第２通信部は、１つの通信インターフェースで構成しても良い。
【００２０】
記憶部１４は、書換え可能な不揮発性メモリである。記憶部１４は、ＨＤＤ或はＳＳＤなどの大容量の記憶装置で構成する。記憶部１４は、当該料金収受システムに関わる各種のデータを記憶する。例えば、記憶部１４は、各料金所の処理内容を示すログデータなどを記憶する。また、記憶部１４は、２次元バーコード（以下、２次元コードと称する）などで利用者に提供される識別情報に基づいて利用者の入場及び出場の状態などを管理する情報を記憶する管理データベース１４ａを有する。
【００２１】
次に、第１の実施の形態における入口処理について概略的に説明する。  
利用者は、上述した事前登録処理によって配信された利用者ＩＤを示す２次元コードを携帯端末Ｐの表示画面に表示させ、携帯端末Ｐが表示する２次元コードを入口料金所に設置された入口料金所機器２における読取位置にかざす。入口料金所機器２は、読み取った２次元コードをデコードした情報に含まれる利用者ＩＤとともに、入口料金所の識別情報（入口料金所番号）、及び、通行時間などの情報を上位システムとしての料金収受サーバ装置１へ通知する。
【００２２】
料金収受サーバ装置１は、入口料金所機器２から取得する情報に基づいて入場の可否を判定する。料金収受サーバ装置１は、入場を許可すると判定した場合、入場許可を示す判定結果を入口料金所機器２へ通知するとともに、入口料金所及び通行時間などの情報を利用者ＩＤに対応づけて入口情報として管理データベース１４ａに登録する。
【００２３】
次に、第１の実施の形態に係る入口料金所機器２における制御系の構成について説明する。  
図３は、入口料金所機器２における制御系の構成例を示すブロック図である。  
入口料金所機器２は、制御部２１、通信部２２、車両検知部２３、通行券発行部２４およびコード読取部２５などを有する。
【００２４】
制御部２１は、入口料金所機器２全体の制御及びデータ処理などを行う制御ユニットである。制御部２１は、ＣＰＵ、メモリおよびインターフェースなどを有する。ＣＰＵは、プログラムを実行することにより各種の処理機能を実現するプロセッサである。ＣＰＵは、インターフェースなどを介して入口料金所機器２を構成する各部に接続される。メモリは、ＣＰＵが実行するプログラムを記憶する不揮発性メモリ、一時的にデータを保持する揮発性メモリ、および、設定データなどを保存する書換え可能な不揮発性メモリなどの各種のメモリを含む。すなわち、制御部２１は、ＣＰＵがメモリに記憶されたプログラムを実行することにより各部を制御およびデータ処理を実行する。
【００２５】
通信部２２は、外部通信するための通信インターフェースである。通信部２２は、上位装置としての料金収受サーバ装置１と通信する機能を有する。  
車両検知部２３は、車両を検知する。車両検知部２３は、入口料金所において入口料金所機器２に接近する車両を検知する。車両検知部２３は、車両のサイズなどを検知するようにしても良い。
【００２６】
通行券発行部２４は、通行券を発行する。通行券発行部２４は、出口料金所における料金の精算に必要となる入口情報を記録した通行券を発行する。入口情報は、例えば、当該入口料金所機器２が設置される場所（又は有料道路の入場場所）および入場日時などの情報である。また、本実施形態において、通行券発行部２４は、発券口にセットした通行券の抜き取り検知するセンサ及び発券口にセットした通行券を回収する機構を有するものとする。また、通行券発行部２４は、発行釦を有し、発行釦が押された場合に通行券を発行するようにしても良い。
【００２７】
コード読取部２５は、２次元コードを読取るコードリーダである。コード読取部２５は、利用者が読取位置に提示する２次元コードを含む画像を読取り、読取った画像から２次元コードを検出する。コード読取部２５は、読取った画像から検出する２次元コードをデコードし、２次元コードが示す情報を取得する。例えば、利用者は、料金収受サーバ装置１が発行する識別情報を示す２次元コードをスマートフォンなどの携帯端末Ｐのディスプレイに表示し、２次元コードを表示した携帯端末Ｐの表示画面を読取位置に翳す。これにより、コード読取部２５は、読取位置に翳された携帯端末Ｐの表示画面に表示された２次元コードから識別情報を読取り、読取った識別情報を制御部２１へ出力する。
【００２８】
入口料金所機器２は、読み取った２次元コードをデコードした情報を送信した後、料金収受サーバ装置１から通行（入場）の可否の判定結果を示す情報を取得する。入場許可の通知を受けると、入口料金所機器２は、当該利用者の車両を通過（入場）させる。また、入口料金所機器２は、料金収受サーバ装置１から通行（入場）不可の通知を受けると、当該利用者の車両の通行を阻止させる。
【００２９】
次に、第１の運用例における出口処理について概略的に説明する。  
次に、第１の実施の形態に係る出口料金所機器３における制御系の構成について説明する。  
図４は、出口料金所機器３における制御系の構成例を示すブロック図である。  
出口料金所機器３は、制御部３１、通信部３２、通行券読取部３３、コード読取部３４、収受器３５、操作表示部３６および案内表示部３７などを有する。
【００３０】
制御部３１は、出口料金所機器３全体の制御及びデータ処理などを行う制御ユニットである。制御部３１は、ＣＰＵ、メモリおよびインターフェースなどを有する。ＣＰＵは、プログラムを実行することにより各種の処理機能を実現するプロセッサである。ＣＰＵは、インターフェースなどを介して出口料金所機器３を構成する各部に接続される。メモリは、ＣＰＵが実行するプログラムを記憶する不揮発性メモリ、一時的にデータを保持する揮発性メモリ、および、設定データなどを保存する書換え可能な不揮発性メモリなどの各種のメモリを含む。すなわち、制御部３１は、ＣＰＵがメモリに記憶されたプログラムを実行することにより各部を制御およびデータ処理を実行する。
【００３１】
通信部３２は、外部通信するための通信インターフェースである。通信部３２は、上位装置としての料金収受サーバ装置１と通信する機能を有する。  
通行券読取部３３は、通行券から情報を読み取る。通行券読取部３３は、通行券を受け入れ、受け入れた通行券から通行料金の計算に必要となる入口情報などの情報を読み取る。通行券読取部３３は、出口料金所のブース内に駐在する操作員が利用者から受け取る通行券を通行券挿入口に挿入する。また、通行券読取部３３は、利用者自身が通行券を挿入口に挿入する構成としても良い。
【００３２】
コード読取部３４は、２次元コードを読取るコードリーダである。コード読取部３４は、利用者が読取位置に提示する２次元コードを含む画像を読取り、読取った画像から２次元コードを検出する。コード読取部３４は、読取った画像から検出した２次元コードをデコードし、２次元コードが示す情報を取得する。例えば、利用者は、料金収受サーバ装置１が発行する識別情報を示す２次元コードをスマートフォンなどの携帯端末Ｐのディスプレイに表示し、２次元コードを表示した携帯端末Ｐの表示画面を読取位置に翳す。これにより、コード読取部３４は、読取位置に翳された携帯端末Ｐの表示画面に表示された２次元コードから識別情報を読取り、読取った識別情報を制御部３１へ出力する。
【００３３】
収受器３５は、ブース内に設置され、通行料金を収受する機器である。収受器３５は、入場情報と操作員が入力する車種などの情報とにより算出する通行料金を利用者から受領する。収受器３５は、現金またはクレジットカードによる通行料金の精算に対応するため現金処理部およびカード処理部などを有する。
【００３４】
操作表示部３６は、タッチパネル付きのディスプレイで構成され、係員が現金またはクレジットカードなどで料金を収受するための操作画面を表示する。操作表示部３６は、ブース内の操作員が操作画面をタッチしやすい位置に配置される。  
案内表示部３７は、車両に乗車する利用者に対して案内などを表示する。案内表示部３７は、出口料金所のレーン内の車両に向けて設置される。
【００３５】
利用者は、上述した入口処理によって入口料金所を通過した後、出口料金所に至る前に利用者ＩＤを示す２次元コードを携帯端末Ｐのディスプレイに表示させる。利用者は、出口料金所を通過する場合、携帯端末Ｐのディスプレイに表示した２次元コードを出口料金所機器３における２次元コードの読取位置にかざす。出口料金所機器３は、利用者が翳す２次元コードの表示画面を読み取り、読み取った画像から検出する２次元コードをデコードした情報に含まれる利用者ＩＤとともに、出口料金所の識別情報（出口料金所番号）、通行時間及び車種などの情報を上位システムとしての料金収受サーバ装置１へ送信する。
【００３６】
料金収受サーバ装置１は、出口料金所機器３から受信する利用者ＩＤの状態に応じて出場の可否を判定し、出場可と判定した場合、出口料金所番号、通行時間及び車種などの情報を利用者ＩＤに対応する出口情報として管理データベース１４ａに登録する。また、料金収受サーバ装置１は、出口料金所機器３から受信した利用者ＩＤに対応する入口情報をデータベース１４ａから抽出し、利用者ＩＤに対応する入口情報を出口料金所機器３へ送信する。これにより、出口料金所機器３は、料金収受サーバ装置１からの利用者ＩＤに対応する入口情報に基づいて通行料金を算出し、算出した通行料金の収受処理を行う。
【００３７】
次に、料金収受サーバ装置１が利用者ごとに入場及び出場に関する情報を管理するための管理データベース１４ａについて説明する。  
図５は、料金収受サーバ装置１の記憶部１４に設ける管理データベース１４ａの構成例を示す図である。  
管理データベース１４ａは、管理対象とする利用者（利用者ＩＤ）ごとに有料道路に対する入場と出場とを管理するデータを記憶する。図５に示す例では、管理データベース１４ａは、レコード番号、識別情報、契約情報、状態フラグ、入口情報および出口情報を記憶する。識別情報は、利用者ＩＤおよび有効期限を含む。利用者ＩＤは、各利用者を識別するための利用者の識別情報である。有効期限は、例えば、利用者ＩＤごとに設定される。
【００３８】
契約情報は、利用者に利用者ＩＤなどを通知するためのメールアドレスを含む利用者情報である。図５に示す例では、氏名およびメールアドレスなどの利用者情報が契約情報として記憶される。また、契約情報は、利用者の電話番号または住所などの個人情報を含む情報であっても良い。
【００３９】
状態フラグは、利用者の有料道路に対する入出場に関する状態を示す情報である。有料道路が正しく利用されている場合、１人の利用者の入出場（入出場サイクル）は、入口料金所（「入」）、出口料金所（「出」）、入口料金所（「入」）、出口料金所（「出」）、…の順序で行われる。不正な利用があった場合、入出場サイクルは、「入」、「出」、「入」、「出」、…の順序とならない。状態フラグは、上記のような入出場サイクルが正しい状態になっているかを管理する情報である。
【００４０】
図５に示す例では、状態フラグは、入口未処理を示す「０」、出口未処理を示す「１」、不正検出中を示す「８」、使用中止中を示す「９」の何れかとなる。入口未処理を示す「０」は、対応する利用者ＩＤの利用者が入口料金所の通過（入場）が許可される状態であること示す。出口未処理を示す「１」は、対応する利用者ＩＤの利用者が出口料金所の通過（出場）が許可される状態であること示す。不正検出中を示す「８」は、利用者ＩＤが未登録の利用者であることを示す。使用中止中を示す「９」は、入場および出場のサイクルが異常と判定された利用者であることを示す。
【００４１】
入口情報は、対応する利用者ＩＤの利用者が入口料金所を通過（入場）したことを示す情報である。図５に示す例では、入口情報として、入口料金所を示す入口料金所番号、利用年月日、通過時刻などが記憶される。出口情報は、対応する利用者ＩＤの利用者が出口料金所を通過（出場）したことを示す情報である。図５に示す例では、出口情報として、出口料金所を示す出口料金所番号、利用年月日、通過時刻などが記憶される。
【００４２】
出口料金所機器３は、読み取った２次元コードをデコードした情報を送信した後、料金収受サーバ装置１から通行（出場）の可否の判定結果を示す情報を取得する。出場許可の通知を受けると、出口料金所機器３は、出場許可と共に料金収受サーバ装置１から受信する入口情報に基づいて通行料金を算出する。通行料金を算出すると、出口料金所機器３は、算出した通行料金を収受した後、当該利用者の車両を通過（出場）させる。また、出口料金所機器３は、料金収受サーバ装置１から通行（出場）不可の通知を受けると、当該利用者の車両の通行を阻止させる。
【００４３】
なお、上述した事前登録処理においては、利用者に２次元コードの利用が可能な料金所および区間などの情報を通知するが、実際の運用においては利用不可な出口料金所を通行するための運用も必要となる。このため、料金収受サーバ装置１は、利用者に送信する電子メールに利用者ＩＤを示す２次元コードだけでなく照会暗号を併記するようにしても良い。この場合、料金収受サーバ装置１は、照会番号を利用者ＩＤなどに対応づけて管理しておく。これにより、２次元コードが使用できない出口料金所を通行する場合には、照会番号をキーに入口情報を特定して収受員の操作による通行料金の収受が行える。
【００４４】
例えば、２次元コードが使用できない出口料金所を通行する場合、利用者は、２次元コードとともに通知された照会番号を出口料金所の収受員に知らせる。出口料金所の収受員は、利用者から取得した照会番号を電話などの通信手段を用いて料金収受サーバ装置１が管理するデータにアクセス可能な上位システムのオペレータへ問い合わせる。上位システムのオペレータは、問い合わせを受けた照会番号に対応する入口情報を確認し、確認した入口情報を出口料金所の収受員へ伝える。出口料金所の収受員は、入口情報を操作表示部３６で入力をする。これにより、出口料金所機器３は、収受員が入力する入口情報に基づいて通行料金の収受を行うようにしても良い。
【００４５】
次に、第１の実施の形態における入口料金所機器２の動作について説明する。  
図６は、第１の実施の形態における入口料金所機器２の動作例を説明するためのフローチャートである。  
入口料金所機器２の制御部２１は、待機状態において当該入口料金所のレーンを走行して接近してくる車両を車両検知部２３により検知する（ＳＴ１１）。車両検知部２３により車両を検知すると（ＳＴ１１、ＹＥＳ）、制御部２１は、通行券発行部２４により通行券を発行する。通行券発行部２４は、発券した通行券が抜き取り又は回収可能な位置となるように発券口にセットする。通行券発行部２４は、発券口に設けたセンサによって通行券の抜き取りを検知する。通行券の抜き取りを検知した場合（ＳＴ１４、ＹＥＳ）、制御部２１は、当該車両の通行を許可する（ＳＴ２３）。
【００４６】
また、制御部２１は、車両を検知した場合、通行券を発行するとともにコード読取部２５による２次元コードの読取りを実行する。コード読取部２５は、読取位置の画像の読取りを繰り返して読み取った画像に２次コードが含まれるか否かを判断する。通行券の抜き取りがなく、コード読取部２５が読み取った画像から２次元コードを検出した場合（ＳＴ１５、ＹＥＳ）、制御部２１は、読取画像から検出した２次元コードをデコードする（ＳＴ１６）。読取画像に含まれる２次元コードをデコードすると、制御部２１は、デコードした情報に利用者ＩＤが含まれるか否かをチェックする（ＳＴ１７）。制御部２１は、デコードした情報に利用者ＩＤが含まれるか否かにより読み取った２次元コードが有効であるかをチェックする（ＳＴ１８）。
【００４７】
読取った２次元コードが有効でないと判断した場合（ＳＴ１８、ＮＯ）、制御部２１は、当該車両を通行不可とし、通行（入場）不可の案内を案内表示部３７に表示する（ＳＴ２４）。この場合、制御部３１は、例えば、提示された２次元コードが無効である旨を案内表示部３７に表示して当該車両の通行を阻止する。  
読取った２次元コードが有効であると判断した場合（ＳＴ１８、ＹＥＳ）、制御部２１は、２次元コードをデコードした情報に含まれる利用者ＩＤと入口情報とを料金収受サーバ装置１へ送信する（ＳＴ１９）。
【００４８】
利用者ＩＤと入口情報とを料金収受サーバ装置１へ送信した後、制御部２１は、料金収受サーバ装置１から通行の可否を示す判定結果を受信する（ＳＴ２０）。料金収受サーバ装置１から判定結果を受信すると、制御部２１は、料金収受サーバ装置１での判定結果が通行許可であるか否かを判断する（ＳＴ２１）。  
料金収受サーバ装置１からの判定結果により通行許可と判断した場合（ＳＴ２１、ＹＥＳ）、制御部２１は、通行券発行部２４が発券した通行券（発券口にセットしている通行券）を回収し（ＳＴ２２）、当該車両の通行を許可する（ＳＴ２３）。なお、通行券は、利用者による発行釦の押し下げに応じて発行するようにしても良い。この場合、制御部２１は、発行釦が押されることなく２次元コードを用いた通行（入場）が許可されれば、通行券を発券する必要がないため、通行券を回収する処理が省略される。
【００４９】
また、料金収受サーバ装置１からの判定結果により通行不可と判断した場合（ＳＴ２１、ＮＯ）、制御部２１は、当該車両を通行不可とし、通行（入場）不可の案内を案内表示部３７に表示する（ＳＴ２４）。この場合、制御部３１は、提示された２次元コードに基づく通行可否で通行不可となった旨を案内表示部３７に表示し、当該車両の通行を阻止するようにしても良い。
【００５０】
次に、第１の実施の形態における料金収受サーバ装置１の動作について説明する。  
図７は、第１の実施の形態における料金収受サーバ装置１の動作例を説明するためのフローチャートである。  
料金収受サーバ装置１の制御部１１は、通信部３２により管理対象とする各料金所に設置された料金所機器（入口料金所機器２、出口料金所機器３）と通信可能な状態となっており、各料金所に設置された料金所機器からの利用者ＩＤの受信待ちとなっている。
【００５１】
入口料金所機器２から利用者ＩＤと入口情報とを受信した場合（ＳＴ３１、ＹＥＳ）、制御部１１は、受信した利用者ＩＤが管理データベース１４ａに登録済みであるか否かを判断する（ＳＴ３２）。  
入口料金所機器２から受信した利用者ＩＤが未登録であると判断した場合（ＳＴ３２、ＮＯ）、制御部３１は、通行可否の判定結果として通行（入場）不可を示す情報を当該利用者ＩＤの送信元である入口料金所機器２へ送信する（ＳＴ３７）。
【００５２】
入口料金所機器２から受信した利用者ＩＤが登録済みであると判断した場合（ＳＴ３２、ＹＥＳ）、制御部３１は、当該利用者ＩＤの状態フラグが入口未処理の状態であるか否かを判断する（ＳＴ３３）。  
入口料金所機器２から受信した利用者ＩＤに対応する状態フラグが入口未処理の状態でないと判断した場合（ＳＴ３３、ＹＥＳ）、制御部３１は、通行可否の判定結果として通行（入場）不可を示す情報を当該利用者ＩＤの送信元である入口料金所機器２へ送信する（ＳＴ３７）。
【００５３】
当該利用者ＩＤに対応する状態フラグが入口未処理の状態であると判断した場合（ＳＴ３３、ＹＥＳ）、制御部３１は、当該利用者ＩＤに対応する状態フラグを出口未処理の状態であることを示す「１」に更新する（ＳＴ３４）。状態フラグを「１」に更新すると、制御部３１は、当該利用者ＩＤに対応する入口情報を入口料金所機器２から利用者ＩＤと共に受信した入口情報に基づいて更新する（ＳＴ３５）。利用者ＩＤに対応する入口情報を更新すると、制御部３１は、通行可否の判定結果として通行（入場）許可を示す情報を当該利用者ＩＤの送信元である入口料金所機器２へ送信する（ＳＴ３６）。
【００５４】
また、出口料金所機器３からの利用者ＩＤと出口情報とを受信した場合（ＳＴ４０、ＹＥＳ）、制御部１１は、受信した利用者ＩＤが管理データベース１４ａに登録済みであるか否かを判断する（ＳＴ４１）。出口料金所機器３から受信した利用者ＩＤが未登録であると判断した場合（ＳＴ４１、ＮＯ）、制御部１１は、通行可否の判定結果として通行（出場）不可を示す情報を当該利用者ＩＤの送信元である出口料金所機器３へ送信する（ＳＴ４７）。
【００５５】
出口料金所機器３から受信した利用者ＩＤが登録済みであると判断した場合（ＳＴ４１、ＹＥＳ）、制御部１１は、当該利用者ＩＤの状態フラグが出口未処理の状態であることを示す「１」であるか否かを判断する（ＳＴ４２）。出口料金所機器３から受信した利用者ＩＤに対応する状態フラグが出口未処理の状態でないと判断した場合（ＳＴ４２、ＹＥＳ）、制御部１１は、受信した利用者ＩＤに対応する状態フラグを使用中止中であることを示す「９」に更新する（ＳＴ４６）。利用者ＩＤに対応する状態フラグとして使用中止中を示す情報を記録すると、制御部１１は、通行可否の判定結果として通行（出場）不可を示す情報を当該利用者ＩＤの送信元である出口料金所機器３へ送信する（ＳＴ４７）。
【００５６】
また、出口料金所機器３から受信した利用者ＩＤに対応する状態フラグが出口未処理の状態であると判断した場合（ＳＴ４２、ＹＥＳ）、制御部１１は、当該利用者ＩＤの状態フラグを入口未処理の状態であることを示す「０」に更新する（ＳＴ４３）。状態フラグを「０」に更新すると、制御部１１は、当該利用者ＩＤに対応する出口情報を出口料金所機器３から利用者ＩＤと共に受信した出口情報に基づいて更新する（ＳＴ４４）。利用者ＩＤに対応する出口情報を更新すると、制御部１１は、通行可否の判定結果として通行（入場）許可を示す情報を当該利用者ＩＤの送信元である出口料金所機器３へ送信する（ＳＴ４５）。
【００５７】
次に、第１の実施の形態における出口料金所機器３の動作について説明する。  
図８は、第１の実施の形態における出口料金所機器３の動作例を説明するためのフローチャートである。  
出口料金所機器３の制御部３１は、待機状態において通行券または２次元コードを提示する旨の案内を案内表示部３７に表示する（ＳＴ５１）。出口料金所を通過する利用者は、当該出口料金所のレーンに設けられたブース前に車両を停止させ、車両に乗車したままでブース内の収受員に通行券を渡すか、あるいは、携帯端末Ｐに表示させた２次元コードを所定の読取位置に提示する。
【００５８】
利用者が通行券を収受員に渡すと、収受員は、利用者から受け取った通行券をブース内に設置した通行券の挿入口に挿入する。通行券が挿入されると（ＳＴ５２、ＹＥＳ）、出口料金所機器３の制御部３１は、通行券読取部３３により通行券に記録されている情報を読み取る（ＳＴ５３）。制御部３１は、通行券読取部３３により通行券から読み取った情報が有効な入場情報を含むかをチェックする（ＳＴ５４）。
【００５９】
通行券から有効な入口情報が読み取れたと判断した場合（ＳＴ５５、ＹＥＳ）、制御部３１は、読み取った入口情報に基づいて通行料金を算出する（ＳＴ５６）。通行料金を算出すると、制御部３１は、算出した通行料金を案内表示部３７に表示し、表示した通行料金を収受する料金収受処理を行う（ＳＴ５７）。例えば、収受員は、収受器３５を操作して利用者から受け取る現金またはクレジットカードにより通行料金を精算する。収受器３５による通行料金の収受が完了すると、制御部３１は、当該車両の通行を許可し、一連の出口処理を終了する。
【００６０】
また、通行券から読み取った情報が入口情報として有効でないと判断した場合、つまり、利用者から受け取った通行券が有効でないと判断した場合（ＳＴ５５、ＹＥＳ）、制御部３１は、通行券として挿入された券を返却し（ＳＴ５８）、提示された券が無効である旨を案内表示部３７に表示し、当該車両の通行を不可とする（ＳＴ５９）。
【００６１】
また、通行券が挿入されることなく（ＳＴ５２、ＮＯ）、読取位置に２次元コードを表示した携帯端末Ｐが翳されると、コード読取部３４は、読み取った画像から２次元コードを検出する。コード読取部３４により２次元コードを検出すると（ＳＴ６０、ＹＥＳ）、制御部３１は、コード読取部３４により検出した２次元コードをデコードする（ＳＴ６１）。２次元コードをデコードすると、制御部３１は、デコードした情報により読取った２次元コードが有効であるかをチェックする（ＳＴ６２）。例えば、制御部３１は、デコードした情報に利用者ＩＤが含まれるか否かにより読み取った２次元コードが有効であるかを判断する。
【００６２】
読取った２次元コードが無効であると判断した場合（ＳＴ６３、ＮＯ）、制御部３１は、通行不可の案内を案内表示部３７に表示し、当該車両を通行不可とする（ＳＴ７１）。例えば、制御部３１は、提示された２次元コードが無効である旨を案内表示部３７に表示して当該車両の通行を阻止する。
【００６３】
読取った２次元コードが有効であると判断した場合（ＳＴ６３、ＹＥＳ）、制御部３１は、２次元コードをデコードして得た利用者ＩＤと当該出口料金所に関する出口情報とを料金収受サーバ装置１へ送信する（ＳＴ６４）。利用者ＩＤと出口情報とを料金収受サーバ装置１へ送信した後、制御部２１は、料金収受サーバ装置１から通行（出場）の可否を示す判定結果を受信する（ＳＴ６５）。料金収受サーバ装置１から判定結果を受信すると、制御部３１は、料金収受サーバ装置１での判定結果が通行許可であるか否かを判断する（ＳＴ６６）。
【００６４】
料金収受サーバ装置１での判定結果が通行不可であると判断した場合（ＳＴ６６、ＮＯ）、制御部３１は、通行の可否判定によって通行不可と判定された旨の案内を案内表示部３７に表示し、当該車両を通行不可とする（ＳＴ７１）。例えば、制御部３１は、２次元コードが示す利用者ＩＤに基づく入口情報などの管理データに基づいて通行が不可と判定された旨を案内表示部３７に表示して当該車両の通行を阻止する。
【００６５】
料金収受サーバ装置１での判定結果が通行許可である場合（ＳＴ６６、ＹＥＳ）、制御部３１は、料金収受サーバ装置１から受信した入口情報をチェックする（ＳＴ６７）。ここで、料金収受サーバ装置１から受信した入口情報が無効であると判断した場合（ＳＴ６８、ＮＯ）、制御部３１は、通行不可の案内を案内表示部３７に表示し、当該車両を通行不可とする（ＳＴ７１）。例えば、制御部３１は、提示された２次元コードに対応する入口情報が無効である旨を案内表示部３７に表示して当該車両の通行を阻止する。
【００６６】
料金収受サーバ装置１から受信した入口情報が有効であると判断した場合（ＳＴ６８、ＹＥＳ）、制御部３１は、料金収受サーバ装置１から受信した入口情報に基づいて通行料金を算出する（ＳＴ６９）。通行料金を算出すると、制御部３１は、算出した通行料金を案内表示部３７に表示し、表示した通行料金を収受する料金収受処理を行う（ＳＴ７０）。例えば、収受員は、収受器３５を操作して利用者から受け取る現金またはクレジットカードにより通行料金を精算する。収受器３５による通行料金の収受が完了すると、制御部３１は、当該車両の通行を許可し、一連の出口処理を終了する。
【００６７】
以上のように第１の実施の形態の料金収受システムでは、入口料金所機器は、利用者が提示する２次元コードを読取り、読取った２次元コードが示す識別情報と入口情報とを料金収受サーバ装置へ送信する。料金収受サーバ装置は、入口料金所機器が２次元コードから読み取った識別情報と入口情報とを取得し、取得した入口情報を識別情報に対応づけて管理データベースに記憶する。出口料金所機器は、利用者が提示する２次元コードを読取り、読取った２次元コードが示す識別情報に対応する入口情報を料金収受サーバ装置から取得し、取得した入口情報から算出する通行料金の収受を行う。
【００６８】
これにより、第１の実施の形態の料金収受システムによれば、利用者ＩＤを示す２次元コードを用いた入出場管理および料金収受が実現でき、利用者が有料道路を走行中に通行券を所持しておく手間がなく利便性が向上する。また、第１の運用例を適用したシステムが段階的に運用できるため、既存のシステムからの変更を容易に行うことができる。さらに、第１の運用例の料金収受システムでは、利用者ＩＤを示す２次元コードだけで入口料金所機器での入口処理と出口料金所機器での出口処理とが実現でき、２次元コードの取得または２次元コードを表示させるための手間が少ないため簡易にシステムを利用できる。
【００６９】
（第２の実施の形態）
次に、第２の実施の形態について説明する。  
第２の実施の形態は、入口料金所を通過した後、出口用で使用する２次元コードを、例えばメール等を介して、当該利用者が所持する端末等に配信する実施の形態である。ただし、第２の実施の形態に係る料金収受システムは、第１の実施の形態で説明した図１乃至５に示すものと同様な構成を有するものとし、これらの構成については詳細な説明を省略するものとする。
【００７０】
図９は、料金収受システムによる第２の実施の形態を概略的に示す模式図である。  
図９に示すように、第２の運用例は、事前登録処理と、利用者ＩＤを示す２次元コード（入口用の２次元コード）を用いた入口処理と、入口情報を示す出口用の２次元コードを配信する配信処理と、出口用の２次元コードを用いた出口処理とから構成される。
【００７１】
第２の実施の形態において、事前登録処理と利用者ＩＤを示す２次元コードを用いた入口処理とは第１の実施の形態で撮影した処理と同様な処理であって良い。すなわち、第２の運用例において、料金収受サーバ装置１は、利用者ＩＤを示す２次元コードを用いた入口処理で通行を許可した場合、入口情報を示す出口用の２次元コードを当該利用者に配信する配信処理を行う。第２の実施の形態における出口処理では、配信処理によって配信された入口情報を示す出口用の２次元コードを用いて出口処理を実行する。
【００７２】
次に、第２の実施の形態における配信処理について概略的に説明する。  
料金収受サーバ装置１は、利用者ＩＤを示す２次元コードを用いた入口処理によって入口料金所の通行（入場）を許可した場合、利用者ＩＤと入口情報とを示す出口用の２次元コードを生成し、生成した出口用の２次元コードを当該利用者に配信する。例えば、料金収受サーバ装置１は、入口料金所機器２からの入口情報を管理データベース１４ａに登録し、管理データベース１４ａに登録した入口情報と利用者ＩＤとを示す出口用の２次元コードを生成する。料金収受サーバ装置１は、生成した出口用の２次元コードを管理データベース１４ａに登録されているメールアドレス宛てに電子メールで送信する。
【００７３】
利用者の携帯端末Ｐは、入口料金所を通過した後に料金収受サーバ装置１から電子メールにて送信される入口情報を示す出口用の２次元コードを受信する。料金収受サーバ装置１からの電子メールを受信した携帯端末Ｐは、受信した電子メールに含まれる出口用の２次元コードをディスプレイに表示する。これにより、利用者は、利用者ＩＤと入口情報とを示す出口用の２次元コードを表示した携帯端末Ｐのディスプレイを出口料金所で提示することができる。
【００７４】
次に、第２の実施の形態における出口処理について概略的に説明する。  
利用者は、電子メールにて受信した出口用の２次元コードを携帯端末Ｐのディスプレイに表示させて、出口料金所を通過する場合に出口料金所機器３の読取位置に出口用の２次元コードを翳す。出口料金所機器３は、利用者が翳す出口用の２次元コードを表示した表示画面を読み取り、読み取った画像から検出する出口用の２次元コードをデコードする。
【００７５】
出口料金所機器３は、出口用の２次元コードをデコードして得られる入口情報に基づいて通行料金を算出する。出口用の２次元コードから通行料金を算出すると、出口料金所機器３は、算出した通行料金を収受した後、当該利用者の車両を通過（出場）させる。また、出口料金所機器３は、出口用の２次元コードをデコードして得た利用者ＩＤと出口料金所番号、通行時間及び車種などの出口情報とを料金収受サーバ装置１へ送信する。
【００７６】
次に、第２の実施の形態における料金収受サーバ装置１の動作について説明する。  
図１０は、第２の実施の形態における料金収受サーバ装置１の動作例を説明するためのフローチャートである。  
入口料金所機器２から利用者ＩＤと入口情報とを受信した場合（ＳＴ１３１、ＹＥＳ）、料金収受サーバ装置１の制御部１１は、受信した利用者ＩＤが管理データベース１４ａに登録済みであるか否かを判断する（ＳＴ１３２）。入口料金所機器２から受信した利用者ＩＤが未登録であると判断した場合（ＳＴ１３２、ＮＯ）、制御部１１は、利用者ＩＤが未登録であるために当該利用者の通行（入場）を不可と判定し、通行不可を示す情報（入口異常）を当該利用者ＩＤの送信元である入口料金所機器２へ送信する（ＳＴ１３７）。
【００７７】
入口料金所機器２から受信した利用者ＩＤが登録済みであると判断した場合（ＳＴ１３２、ＹＥＳ）、制御部１１は、当該利用者ＩＤの状態フラグが入口未処理の状態であるか否かを判断する（ＳＴ１３３）。入口料金所機器２から受信した利用者ＩＤに対応する状態フラグが入口未処理の状態でないと判断した場合（ＳＴ１３３、ＹＥＳ）、制御部１１は、入出場状態（入出場サイクル）が異常であるために当該利用者の通行（入場）を不可と判定し、通行不可を示す情報（入口異常）を当該利用者ＩＤの送信元である入口料金所機器２へ送信する（ＳＴ１３７）。
【００７８】
また、状態フラグが入口未処理の状態であると判断した場合（ＳＴ１３３、ＹＥＳ）、制御部１１は、当該利用者ＩＤの状態フラグを出口未処理の状態であることを示す「１」に更新する（ＳＴ１３４）。状態フラグを「１」に更新すると、制御部１１は、当該利用者ＩＤに対応する入口情報を入口料金所機器２から利用者ＩＤと共に受信した入口情報に基づいて更新する（ＳＴ１３５）。利用者ＩＤに対応する入口情報を更新すると、制御部１１は、当該利用者の通行（入場）を許可と判定し、通行許可を示す情報（正常入場）を当該利用者ＩＤの送信元である入口料金所機器２へ送信する（ＳＴ１３６）。
【００７９】
通行許可を示す情報を送信した後、制御部１１は、出口用の２次元コードを配信する配信処理を実行する（ＳＴ１３８、ＳＴ１３９）。すなわち、入場を許可すると判定した場合、制御部１１は、入場を許可した利用者の利用者ＩＤと当該利用者ＩＤに対応する入口情報とをコード化し、利用者ＩＤと入口情報とを示す出口用の２次元コードを生成する（ＳＴ１３８）。
【００８０】
利用者ＩＤと入口情報とを示す出口用の２次元コードを生成すると、制御部１１は、管理データベース１４ａから利用者ＩＤに対応するメールアドレスを特定し、特定したメールアドレスに出口用の２次元コードを含む電子メールを送信する（ＳＴ１３９）。ＳＴ１３８−１３９の配信処理によって利用者ＩＤと入口情報とを示す出口用の２次元コードを含む電子メールが利用者のメールアドレス宛に送信されるため、入口料金所を通過する利用者は、出口用の２次元コードを電子メールにて携帯端末Ｐで受信できる。
【００８１】
なお、配信処理において、料金収受サーバ装置１の制御部１１は、利用者の携帯端末Ｐで表示しやすい形式とした出口用の２次元コードの画像を添付した電子メールを生成しても良い。また、料金収受サーバ装置１は、出口用の２次元コードを電子メール以外の配信方法で利用者の携帯端末Ｐへ配信するようにしても良い。
【００８２】
出口料金所機器３からの利用者ＩＤと出口情報とを受信した場合（ＳＴ１４０、ＹＥＳ）、制御部１１は、受信した利用者ＩＤが管理データベース１４ａに登録済みであるか否かを判断する（ＳＴ１４１）。出口料金所機器３から受信した利用者ＩＤが未登録であると判断した場合（ＳＴ１４１、ＮＯ）、制御部１１は、受信した利用者ＩＤを管理データベース１４ａに記録し（ＳＴ１４８）、記録した利用者ＩＤに対応する状態フラグを不正検出中であることを示す「８」に更新する（ＳＴ１４９）。
【００８３】
出口料金所機器３から受信した利用者ＩＤが登録済みであると判断した場合（ＳＴ１４１、ＹＥＳ）、制御部１１は、当該利用者ＩＤの状態フラグが出口未処理の状態であることを示す「１」であるか否かを判断する（ＳＴ１４２）。出口料金所機器３から受信した利用者ＩＤに対応する状態フラグが出口未処理の状態でないと判断した場合（ＳＴ１４２、ＹＥＳ）、制御部１１は、受信した利用者ＩＤに対応する状態フラグを使用中止中であることを示す「９」に更新する（ＳＴ１４６）。
【００８４】
また、出口料金所機器３から受信した利用者ＩＤに対応する状態フラグが出口未処理の状態であると判断した場合（ＳＴ４２、ＹＥＳ）、制御部１１は、当該利用者ＩＤの状態フラグを入口未処理の状態であることを示す「０」に更新する（ＳＴ１４３）。状態フラグを「０」に更新すると、制御部１１は、当該利用者ＩＤに対応する出口情報を出口料金所機器３から利用者ＩＤと共に受信した出口情報に基づいて更新する（ＳＴ１４４）。
【００８５】
次に、第２の実施の形態における出口料金所機器３の動作について説明する。  
図１１は、第２の実施の形態における出口料金所機器３の動作例を説明するためのフローチャートである。  
出口料金所機器３の制御部３１は、待機状態において通行券または２次元コードを提示する旨の案内を案内表示部３７に表示する（ＳＴ１５１）。通行券がブース内に設置した通行券の挿入口に挿入されると（ＳＴ１５２、ＹＥＳ）、出口料金所機器３の制御部３１は、通行券読取部３３により通行券に記録されている情報を読み取る（ＳＴ１５３）。制御部３１は、通行券読取部３３により通行券から読み取った情報が有効な入場情報を含むかをチェックする（ＳＴ１５４）。
【００８６】
通行券から有効な入口情報が読み取れたと判断した場合（ＳＴ１５５、ＹＥＳ）、制御部３１は、読み取った入口情報に基づいて通行料金を算出する（ＳＴ１５６）。通行料金を算出すると、制御部３１は、算出した通行料金を案内表示部３７に表示し、表示した通行料金を収受する料金収受処理を行う（ＳＴ１５７）。また、利用者から受け取った通行券が有効でないと判断した場合（ＳＴ１５５、ＹＥＳ）、制御部３１は、通行券として挿入された券を返却し（ＳＴ１５８）、提示された券が無効である旨を案内表示部３７に表示し、当該車両の通行を不可とする（ＳＴ１５９）。
【００８７】
また、通行券が挿入されることなく（ＳＴ１５２、ＮＯ）、読取位置に２次元コードを表示した携帯端末Ｐが翳されると、コード読取部３４は、読み取った画像から２次元コードを検出する。２次元コードが検出されると（ＳＴ１６０、ＹＥＳ）、制御部３１は、コード読取部３４により検出した２次元コードをデコードする（ＳＴ１６１）。２次元コードをデコードすると、制御部３１は、デコードした情報により読取った２次元コードが出口用の２次元コードとして有効であるかをチェックする（ＳＴ１６２）。
【００８８】
読取った出口用の２次元コードが無効であると判断した場合（ＳＴ１６３、ＮＯ）、制御部３１は、通行不可の案内を案内表示部３７に表示し、当該車両を通行不可とする（ＳＴ１７１）。例えば、制御部３１は、提示された２次元コードが無効である旨を案内表示部３７に表示して当該車両の通行を阻止する。
【００８９】
読取った出口用の２次元コードが有効であると判断した場合（ＳＴ１６３、ＹＥＳ）、制御部３１は、出口用の２次元コードをデコードして得た利用者ＩＤと当該出口料金所に関する出口情報とを料金収受サーバ装置１へ送信する（ＳＴ１６４）。
【００９０】
また、制御部３１は、出口用の２次元コードをデコードして得た入口情報が有効であるか否かをチェックする（ＳＴ１６７）。出口用の２次元コードから得た入口情報が無効であると判断した場合（ＳＴ１６８、ＮＯ）、制御部３１は、通行不可とする旨の案内を案内表示部３７に表示し、当該車両を通行不可とする（ＳＴ１７１）。例えば、制御部３１は、２次元コードが示す入口情報が無効であるために通行が不可と判定された旨を案内表示部３７に表示して当該車両の通行を阻止する。
【００９１】
読取った出口用の２次元コードから得た入口情報が有効であると判断した場合（ＳＴ１６７、ＹＥＳ）、制御部３１は、出口用の２次元コードをデコードして得た入口情報に基づいて通行料金を算出する（ＳＴ１６９）。通行料金を算出すると、制御部３１は、算出した通行料金を案内表示部３７に表示し、表示した通行料金を収受する料金収受処理を行う（ＳＴ１７０）。制御部３１は、収受器３５による通行料金の収受が完了すると、当該車両の通行を許可して一連の出口処理を終了する。
【００９２】
以上のように第２の実施の形態によれば、入口料金所機器は、利用者が提示する２次元コードを読取り、読取った２次元コードが示す識別情報と入口情報とを料金収受サーバ装置へ送信する。料金収受サーバ装置は、入口料金所機器が２次元コードから読み取った識別情報と入口情報とを取得し、取得した入口情報を示す出口用の２次元コードを利用者に対して配信する。出口料金所機器は、利用者が提示する出口用の２次元コードを読取り、読取った出口用の２次元コードが示す入口情報に基づいて算出する通行料金の収受を行う。
【００９３】
これにより、第２の実施の形態の料金収受システムによれば、利用者ＩＤを示す２次元コードを用いた入出場管理および料金収受が実現でき、利用者が有料道路を走行中に通行券を所持しておく手間がなく利便性が向上する。また、第１の運用例を適用したシステムが段階的に運用できるため、既存のシステムからの変更を容易に行うことができる。さらに、第２の運用例の料金収受システムでは、入口情報を示す出口用の２次元コードによって出口料金所機器での通行料金の算出が実行でき、出口処理を高速に行える。  
なお、本発明は、高速道路等の有料道路に適用されるものに限られない。例えば、駐車場とか、鉄道とか、遊園地や映画館等の入場するために課金があるところにも適用可能である。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１…料金収受サーバ装置、２…入口料金所機器、３…出口料金所機器、Ｐ…携帯端末、１０…料金収受システム、１１…制御部、１２…第１通信部、１３…第２通信部、１４…記憶部、１４ａ…管理データベース、２１…制御部、２２…通信部、２５…コード読取部、３１…制御部、３２…通信部、３４…コード読取部、３５…収受器、３６…操作表示部、３７…案内表示部。
【図１】
2019204397.tif 000003
【図２】
2019204397.tif 000004
【図３】
2019204397.tif 000005
【図４】
2019204397.tif 000006
【図５】
2019204397.tif 000007
【図６】
2019204397.tif 000008
【図７】
2019204397.tif 000009
【図８】
2019204397.tif 000010
【図９】
2019204397.tif 000011
【図１０】
2019204397.tif 000012
【図１１】
2019204397.tif 000013